(57)【特許請求の範囲】
【請求項１】
複数の遊技機を配列した遊技島において、
紙幣を受け入れる遊技媒体貸出機と、
遊技媒体貸出機に並設して遊技媒体貸出機からの紙幣を収納貯留する紙幣取扱装置と、
遊技媒体貸出機と紙幣取扱装置の上部には高額紙幣を受け入れて収納貯留する高額紙幣識別装置と、
から構成された紙幣処理機構を遊技機ごとに備え、
紙幣取扱装置は、
受け入れた紙幣が遊技媒体貸出機の背面から排出されると反転搬送して紙幣取扱装置内に搬送する搬送部と、
搬送部から送出された紙幣を積重ねて保持する積重ね保持部と、
積重ね保持部内の紙幣を順次払い出す払出部と、
が設けられており、
前記遊技媒体貸出機に投入された紙幣は、
紙幣取扱装置の積重ね保持部に両替用紙幣として収納貯留し、
前記高額紙幣識別装置に高額紙幣を投入すると、
紙幣取扱装置の払出部より積重ね保持部の収納貯留された紙幣を両替紙幣として払い出すことにより、
遊技媒体貸出機で受け入れた紙幣を遊技島の紙幣搬送装置にて搬送回収せずに両替用紙幣として払い出すことを特徴とする遊技島に配された紙幣処理機構における紙幣取扱装置。
【発明の詳細な説明】
【０００１】
【発明の属する技術分野】
本発明は、例えば、スロットマシン、パチンコなどの遊技機を複数一群に設置した、遊技島において、遊技媒体貸出機に投入された紙幣を収納すると共に、両替紙幣として払い出す装置に関する。
【０００２】
【従来の技術】
この種の遊技店、例えばパチンコ店では、横方向に複数の遊技機（パチンコ機）が直線状に設置されたいわゆる遊技島（パチンコ島）が構成されている。
そして、遊技島では、隣合う２台の遊技機の間ごとに遊技媒体貸出機（玉貸機）が設けてあり、各遊技媒体貸出機に投入された紙幣は、従来では、遊技機の背面に設けた紙幣搬送装置によって遊技島の端部などに設けた収納庫へ搬送されて収納さてる。そしてこの紙幣は、五千円あるいは一万円紙幣の両替紙幣(千円紙幣）として利用されるものである。
【０００３】
【発明が解決しようとする課題】
しかしながら、このように遊技島内の全部の遊技媒体貸出機からの紙幣を１つの紙幣搬送装置で搬送するシステムでは、紙幣搬送装置が大がかりな装置と
なってコスト高となる。また、施工にあっても多大な労力、時間を必要とするものである。更に、紙幣搬送装置に紙幣詰まりなどのトラブルが発生すると、このトラブルを解消するまで遊技島の全部の遊技媒体貸出機が使用できなくなるという問題があった。
【０００４】
また、パチンコ遊技機では、前面側へパチンコ台を開くことができるため、パチンコ台背面側に設置された紙幣搬送装置は点検可能であるが、スロットマシンなどの遊技機は台を開くことができないボックス構造であるため、背面側に設けた紙幣搬送装置にトラブルが生じても点検が行なえないという問題があった。
【０００５】
更に、遊技の途中にて、パチンコ玉あるいはメダルなどの遊技媒体が必要となった際にそれらの貸し出しに必要な紙幣を使い果たした場合などは、いちいち席を立ち、島端に設置されている両替機まで行かなければならないという問題があった。
本発明は、このような問題を解消した、遊技島の紙幣両替機を提供することを目的としている。
【０００６】
【課題を解決するための手段】
前記目的を達成するために本発明の遊技島に配された紙幣処理機構における紙幣取扱装置では、複数の遊技機を配列した遊技島において、紙幣を受け入れる遊技媒体貸出機と、遊技媒体貸出機に並設して遊技媒体貸出機からの紙幣を収納貯留する紙幣取扱装置と、遊技媒体貸出機と紙幣取扱装置の上部には高額紙幣を受け入れて収納貯留する高額紙幣識別装置と、から構成された紙幣処理機構を遊技機ごとに備え、紙幣取扱装置は、受け入れた紙幣が遊技媒体貸出機の背面から排出されると反転搬送して紙幣取扱装置内に搬送する搬送部と、搬送部から送出された紙幣を積重ねて保持する積重ね保持部と、積重ね保持部内の紙幣を順次払い出す払出部と、が設けられており、前記遊技媒体貸出機に投入された紙幣は、紙幣取扱装置の積重ね保持部に両替用紙幣として収納貯留し、前記高額紙幣識別装置に高額紙幣を投入すると、紙幣取扱装置の払出部より積重ね保持部の収納貯留された紙幣を両替紙幣として払い出すことにより、遊技媒体貸出機で受け入れた紙幣を遊技島の紙幣搬送装置にて搬送回収せずに両替用紙幣として払い出すものとした。
【０００７】
即ち、遊技島では隣合う２台の遊技機の間に紙幣を起立状態で受け入れ、起立状態のまま排出する縦長薄型の遊技媒体貸出機が設置されているが、隣合う２台の遊技機の利用客に窮屈な思いをさせないように、この遊技媒体貸出機と一方（例えば左側）の遊技機との間に遊技媒体貸出機と同程度の幅の不利用空間部（前面側は化粧板で塞いである）を設けて隣合う２台の遊技機間の配置間隔にゆとりを持たせてある。
【０００８】
本発明は、この遊技媒体貸出機と一方の遊技機との間の不利用空間部を利用して、遊技媒体貸出機の背面から起立状態で排出される紙幣を前記不利用空間部の前面方向に起立状態のままＵターンさせてこの不利用空間部内で紙幣を積重ねて押圧した状態に保持することによって、各遊技媒体貸出機からの紙幣を１つの紙幣搬送装置によって搬送蓄積する代わりに、個々の遊技媒体貸出機ごとに従来利用されていなかった不利用空間部に搬送して蓄積するようにしている。
【０００９】
このため、遊技島全体の紙幣を搬送する大がかりな紙幣搬送装置（システム）を省略することができ、このためコストダウンを図ることができ、スロットマシンのような前方へ開くことができないボックス型の遊技機を設置した遊技島であっても、全体の紙幣を搬送するシステムを用いないため、遊技機の個々の遊技媒体貸出機ごとに紙幣を収納するから、従来のような遊技島全体の遊技媒体貸出機の使用不能などの問題もなくなる。
【００１０】
また、本発明は、前記蓄積された紙幣を両替紙幣として利用することによってより有効活用が図られると共に、高額紙幣を両替えすることができるから、従来のように遊技客がいちいち席を立ち、島端に設置されている両替機まで行かなければならないという問題もなくなる。
【００１２】
【発明の実施の形態】
以下、図面に基づいて本発明の実施の形態を説明する。
図１５、１６に示すように、遊技島１には、遊技島１を構築する上枠板２、下枠板３によって固定された複数の遊技機（例えばスロットマシン）４、４、…が、それぞれ両側を垂直板５ａ、５ｂに囲まれて、直線状に配列されている。
【００１３】
そして、隣合う２台の遊技機４、４の間ごとに、縦長薄型形状の遊技媒体貸出機（例えばスロットマシン用メダル貸出機）６が一方の（右側の）垂直板５ａに接するように、且つ取り出し可能に設けられている。
【００１４】
遊技媒体貸出機６の前面板６ａに、紙幣Ｍを起立状態で長手方向に投入するための上下方向の紙幣投入口７を備えていて、投入された紙幣Ｍを判定し、真正紙幣の場合には遊技媒体（スロットマシン用メダル）を排出し、紙幣Ｍを起立状態のまま背面の排出口８から背面側へ排出する。
【００１５】
この遊技媒体貸出機６と一方の（左側の）遊技機４との間には、従来では、隣合う２台の遊技機４、４の利用客に窮屈な思いをさせないように、遊技媒体貸出機６と同程度の幅の不利用空間部Ａが設けてあり、その前面を化粧板９で塞いでいる。
【００１６】
この不利用空間部Ａ内に、前面の化粧板９を外して本発明の紙幣取扱装置１０を取り出し可能に設置すると共に、後述する紙幣識別装置１９０とから、本発明の遊技島の紙幣両替装置４００が構成される。
【００１７】
紙幣取扱装置１０は、図１に示すように、不利用空間部Ａに収納可能な形状の縦長薄型形状のほぼ箱型のユニット構造になっていて、その上方奥部には、前記遊技媒体貸出機６の背面部側に張り出した紙幣受け部１１が設けられている。
【００１８】
即ち、この紙幣取扱装置１０は、図２に示すように、ユニットケース基板１２を備えている。ユニットケース基板１２は金属平板を打抜いて折曲げ加工したものであって、高さが不利用空間部Ａの高さより僅かに小で上部の奥行きが不利用空間部Ａの奥行きにほぼ等しく、下部の奥行きが小の垂直基板１３と、該垂直基板１３の下端前部において水平方向に折曲げられ幅が遊技媒体貸出機６と一方の垂直板５ｂとの間隔より僅かに小の底板１４と、前記垂直基板１３の上部の奥側の端部から直角に折り曲げられ、横幅が不利用空間部Ａの２つの垂直板５ａ、５ｂ間の間隔より僅かに小の奥板１５と、前記垂直基板１３の上端から水平方向に折り曲げられた上板１６とを備えている。上板１６の奥部は、奥板１５に対応して幅が広くなっている。
【００１９】
前記底板１４には不利用空間部Ａの下枠板３にネジ止めするための穴１４ａが設けられ、また底板１４の前端、後端幅方向の先端にはそれぞれ垂直方向に折り曲げられた縁板１４ｂ、１４ｃ、１４ｄが設けてあり、垂直基板１３の幅挟部１３ａの上端には、前記底板１４に対向する水平板１７が水平に固定されている。
この水平板１７にも、底板１４と同じく縁板１７ｂ、１７ｃ、１７ｄが垂直方向に突設されている。そして、水平板１７の縁板１７ｃのネジ穴と、底板１４の縁板１４ｃのネジ穴において、Ｌ字状のケース板１８がネジ止めされて取付けられる。また、垂直基板１３の幅挟部１３ａの下端には、紙幣の搬送及び積重ね保持の動作を制御するための制御基板Ｂが固定されている。
【００２０】
ユニットケース基板１２の上板１６の前端上面には、コ字状の固定金具２０が固定されている。この固定金具２０は、図２、５に示すように、底板２１と平行な２つの垂直片２２、２３を備えていて、前方の垂直片２２の中央には幅広の切欠き２２ａが設けてあり、奥側の垂直片２３の中央には、ネジ挿入穴２３ａが設けられている。
【００２１】
ユニットケース基板１２の奥板１５の内側には、図２，６，８に示すように、遊技媒体貸出機６の背面の排出口８から起立状態で排出される紙幣Ｍを受け入れ、起立状態のまま半円形状にＵターンさせ、遊技媒体貸出機６の左側の不利用空間部Ａへ前面側へ直線方向（即ち、垂直基板１３、遊技媒体貸出機６と平行方向）に送り出す搬送装置３０が設けられている。
【００２２】
即ち、奥板１５の内壁には、上下２段に水平フレーム３１、３２が固定され、図１０に示すようにこの上下２段の水平フレーム３１、３２間に搬送通路３３を形成するための、プラスチック成形された複数の通路形成体３４ａ、３４ｂ、３４ｃが固定されている（図６）。
【００２３】
図６、８に示すように、外側の通路形成体３４ａは、水平な上壁３５、下壁３６、垂直な前壁３７、後壁３８と、垂直な案内壁３９を備えている。
【００２４】
また、垂直基板１３側の通路形成体３４ｃは、水平な上壁４０、下壁４１、垂直な、前壁４２、後壁４３と、垂直な一部が直線状の案内壁４４を備えている。
【００２５】
また、中央の通路形成体３４ｂは、水平な上壁４５、下壁４６、垂直な前壁４７と、垂直で後半分が半円形で一部が直線状の案内壁４８を備えている。
【００２６】
図６に示すように、右外側の通路形成体３４ａの案内壁３９の内面と中央の通路形成体３４ｂの案内壁４８の外面との間に、遊技媒体貸出機６の排出口８から排出されてくる起立状態の紙幣Ｍを受け入れる入口側程、幅が広くなった受入れ通路部３３ａと、円周の１／４程の一定幅の円弧状通路部３３ｂが形成され、さらに、もう左外側の通路形成体３４ｃの案内壁４４の内面と中央の通路形成体３４ｂの案内壁４８の外面との間に、前記円弧状通路部３３ｂに連続する円周の１／４程度の同一幅の円弧状通路部３３ｃと、前記ユニットケース基板１２の垂直基板１３と平行な直線方向の円弧状通路部３３ｃに連続する直線状通路部３３ｄが形成されている。
【００２７】
中央の通路形成体３４ｂは中空体であって、案内壁４８及び前壁４７に上下２段に水平なスリット５０、５０が前記円弧状通路部３３ｂ、３３ｃ、直線状通路部３３ｄ、前壁４７の通路形成体３４ｃ側にわたって設けられている。
【００２８】
通路形成体４３ｂの半円形の中心を通るように駆動軸５１が上下方向に通路形成体３４ｂに回動自在に取付けられている。この駆動軸５１に上下２段の前記スリット５０，５０において、前記円弧状通路部３３ｂ及び円弧状通路部３３ｃに臨むように駆動プーリ５２、５２が固定されている。
【００２９】
駆動軸５１は下側の水平フレーム３２の穴から下方に延設され、その下端に歯車５３が固定されている。
【００３０】
図２に示すように水平フレーム３２の下面にはモータ５４が固定され、モータ５４の回転が減速装置５５から歯車５３を介して駆動軸５１に伝達される。
【００３１】
通路形成体３４ｂの前壁４７の通路形成体３４ｃ側において、上下２段のスリット５０、５０の間に駆動軸５１と平行な上下方向の軸穴６０を有する突起６１が突設されていて（図７）、この軸穴６０に回動自在に取付けられた軸６２の両端に前記上下２段のスリット５０，５０に位置し、且つ前記直線状通路部３３ｄに臨むように従動プーリ６３，６３が取付けられている。
【００３２】
上下２段の駆動プーリ５２、５２と従動プーリ６３、６３間にそれぞれ搬送ベルト６４，６４が、上下２段のスリット５０、５０から円弧状通路部３３ｂ、円弧状通路部３３ｃ、直線状通路部３３ｄに臨むように架け渡されている。
【００３３】
前記突起６１には、通路形成体３４ｃとは反対側に、後述する押さえガイド体１３０の端部を係止する係止アーム６１ｂが設けられている。
【００３４】
図６、８に示すように、通路形成体３４ａには、前記受入れ通路部３３ａの終端部において、上下２段のスリット５０、５０に対向するように上下２段に穴６５、６５が設けてあり、この穴６５、６５において、上下２段に圧接ローラ６６、６６が設けられている。この２つの圧接ローラ６６、６６は押圧バネ６７によって押圧されて、搬送ベルト６４、６４に圧接されている。
【００３５】
通路形成体３４ｃには、前記円弧状通路部３３ｃの終端部において、上下２段のスリット５０、５０に対向するように上下２段に穴６８、６８が設けてあり、この穴６８、６８において、上下２段に圧接ローラ６９，６９が設けられている。この２つの圧接ローラ６９、６９は押圧バネ７０によって押圧されて、搬送ベルト６４、６４に圧接されている。
【００３６】
また、前記通路形成体３４ｃの前壁４２の通路形成体３４ｂ側から通路形成体３４ｃの案内壁４４の前端にわたって、上下２段の前記スリット５０、５０に対応した位置に上下２段に穴７１、７１が設けてある。この穴７１、７１において、上下２段に送出しローラ（圧接ローラ）７２、７２が従動プーリ６３、６３において搬送ベルト６４、６４に圧接されるように設けられている。
【００３７】
図９に示すように、各送出しローラ７２の軸７２ａの両端は弾性アーム７３の先端の平行な２つの支持片７３ａの直線状通路部３３ｄと平行な方向の所定長さの長穴７４に摺動自在に嵌合されている。
【００３８】
前記受入れ通路部３３ａにおいて、通路形成体３４ａの案内壁３９と通路形成体３４ｂの案内壁４８には対向する位置に穴８０、８１が設けられ、湾曲案内壁３９、案内壁４８の内壁にそれぞれ一対の投光器８２ａ、受光器８２ｂが設けられている（図６）。
【００３９】
このため、遊技媒体貸出機６の背面の排出口８から起立状態のまま長手方向に送り出された紙幣Ｍの先端が受入れ通路部３３ａ内に進入して投光器８２ａ、受光器８２ｂ間の光を妨げると、受光器８２ｂからの紙幣検出信号が制御基板Ｂへ送られて、制御基板Ｂから前記モータ５４の駆動信号が出力されて駆動プーリ５２が反時計回りに回動して搬送ベルト６４が駆動される。このため、駆動プーリ５２に接した搬送ベルト６４と圧接ローラ６６間に紙幣Ｍが挟持されて円弧状通路部３３ｂを円弧状に搬送され、さらに、円弧状通路部３３ｃに沿って円弧状に搬送され、駆動プーリ５２に接した搬送ベルト６４と圧接ローラ６９で挟持されて、さらに直線状通路部３３ｂを直線状に搬送され、最後に従動プーリ６３に接した搬送ベルト６４と出口の送出しローラ７２で挟持されて紙幣Ｍは起立状態のまま直線状に送り出される。
【００４０】
前記直線状通路部３３ｄにおいて、通路形成体３４ｃの案内壁４４と通路形成体３４ｂの案内壁４８には対向する位置に穴８３、８４が設けられ、案内壁３９、案内壁４８の内壁にそれぞれ一対の投光器８５ａ、受光器８５ｂが設けられている。
【００４１】
このため、紙幣Ｍの先端によって投光器８５ａ、受光器８５ｂ間の光を妨げられると、受光器８５ｂからの紙幣検出信号が制御基板Ｂへ送られて、後述する取込み回転体９５を駆動するモータ５４への駆動信号が所定時間の間、制御基板Ｂから出力され、さらに、紙幣Ｍの後端の通過によって受光状態に戻ると、受光器８５ｂから通過検出信号が出力されて、所定時間後に駆動プーリ６３を駆動するモータ５４の駆動が停止され、さらに、後述する取込み回転体９５を駆動する後述するモータ１０５の駆動が停止される。
【００４２】
この搬送部３０から送出された紙幣Ｍを積重ね押圧状態で保持するための積重ね保持部９０が、ユニットケース基板１２の垂直基板１３に搬送部３０の前方において固定されている。
【００４３】
即ち、垂直基板１３の内壁には、図４、１０、１１に示すように、垂直基板１３の上板１６と幅がほぼ等しい上下２段に水平フレーム９１、９２が互いに平行に固定されている。尚、この水平フレーム９１、９２を前記フレーム３１、３２とそれぞれ一体的に構成してもよい。
【００４４】
水平フレーム９１、９２の前端のそれぞれ上方向、下方向に垂直に折り曲げられた縁板９１ａ、９２ａに、紙幣取出口９３を備えた長方形状の支持板９４の両端が固定されている（図４）。
【００４５】
この支持板９４と、前記通路形成体４３ｃの前壁３７との間に、上下２本の取込み回転体９５、９５の両端の軸９６、９６が、図３、６、７、１１に示すように水平方向で、且つ、垂直基板１３と平行な状態で回転自在に取り付けられている。
【００４６】
取込み回転体９５は、図１０に示すように、その断面形状が軸９６を中心として、半径が円周方向にほぼ９０度にわたって次第に増加する漸増外周面９５ａを有し、これに続くほぼ９０度にわたって半径が最大のままほぼ一定となり、この半径が最大の一定半径の部分の内側に、入口側が開いた紙幣端部保持溝９７が軸方向に沿って設けられ、この溝９７の外側が紙幣Ｍを押し付ける円弧状押付け部９７ａとなっている。
【００４７】
従って、上下の取込み回転体９５、９５を各紙幣端部保持溝９７、９７が互いに上下に向き合った状態で、上下の軸９６，９６を起立状態で搬送部３０の直線状通路部３３ｄから垂直基板１３と平行に且つ水平方向に送り出される紙幣Ｍの上下のより僅かに垂直基板１３寄りの位置に取り付けると、搬送部３０による紙幣Ｍの送り出しによって、紙幣Ｍの上下の各端部（長手方向ではなく、幅方向の両端部）がそれぞれ上下の紙幣端部保持溝９７、９７に長手方向の全長にわたって挿入される。
【００４８】
図１１に示すように、上下の取込み回転体９５、９５の支持板９４側の軸９６、９６には互いに同一歯数のギヤ９８、９８が固定され、この両ギヤ９８、９８の間において、支持板９４に回動自在に互いに噛み合った同一歯数の４個の伝達ギヤ９９ａ、９９ｂ、９９ｃ、９９ｄが取付けられている。４個のうち上端、下端の伝達ギヤ９９、９９がそれぞれ上下のギヤ９８、９８と噛み合っている。
【００４９】
下側の取込み回転体９５の前記ギヤ９８には、水平フレーム９２の下側において、ギヤ１００ａを介して、支持板９４に回転自在に取付けられたギヤ１００が噛み合っている。
【００５０】
これらのギヤは支持板９４に取付けられたギヤカバー１０１によって支持板９４との間に保持されている。
【００５１】
下側の水平フレーム９２の下面に、取込み回転体駆動用のモータ１０５が取付けられている。このモータ１０５の駆動軸１０６の結合回転体１０６ａは前記ギヤ１００に、着脱可能に差し込んで一体に回転するように係合できる。
【００５２】
結合回転体１０６ａには、回動角度検出用の半径方向のスリットを有する検出用円板１０８が固定されていて、このスリット位置を検出するための光センサ１０９が円板１０８の端部に設けられている。
【００５３】
上下の取込み回転体９５、９５のギヤ９８、９８は互いに同一歯数で間の伝達ギヤ９９ａ、９９ｂ、９９ｃ、９９ｄも互いに同一歯数なので、モータ１０５の駆動によって駆動軸１０６からギヤ１００、１００ａ、９８、９９ａ、９９ｂ、９９ｃ、９９ｄ、９８へと回転が伝達されるから、上下の取込み回転体９５、９５は同一速度で互いに逆方向に同期して回転する。
【００５４】
尚、２つの取込み回転体９５、９５を、前記ギヤ機構の代わりに、２つのモータで個別に逆回転させてもよく、また、ベルトによる伝達によって行なってもよい。また、Ｕターン用のモータ５４の回転をクラッチ機構（図示せず）などを用いて２つの取込み回転体９５、９５を回転させてもよい。
【００５５】
前記直線状通路部３３ｄの投受光器８５ａ、８５ｂによつて紙幣Ｍの後端の通過が検出されると、制御基板Ｂから、所定時間（取込み回転体９５、９５の紙幣端部保持溝９７、９７に紙幣Ｍの両端が全長にわたって挿入されるまでの時間）経過後に駆動信号が出力されてモータ１０５が駆動されて、図１０に示すように上下の取込み回転体９５、９５が同一速度で互いに逆向きに回動（紙幣Ｍの幅方向の端部から円弧状押付け部９７ａが外方へ離れる方向に回動する）し、検出用円板１０８の回転を光センサ１０９で検出して取込み回転体９５、９５が１回転して元の状態になるとモータ１０５を停止させる。
【００５６】
この上下の取込み回転体９５、９５の逆向きの回転によって紙幣Ｍの両端は紙幣端部保持溝９７、９７から外れると共に半径が次第に増加する漸増外周面９５ａに接し、最後に円弧状押付け部９７ａの外周面に接する。
【００５７】
図６、１０に示すように、上下の水平フレーム９１、９２の間において、前記取込み回転体９５、９５と垂直基板１３の間に、垂直基板１３に接したスプリング１１５によって取込み回転体９５、９５側へ押圧された紙幣受け皿１１６が設けられている。
【００５８】
この押圧された紙幣受け皿１１６の上下両端部と上下の取込み回転体９５、９５の円弧状押付け部９７ａとの間に上下両端を押圧された状態で紙幣端部保持溝９７、９７から外れた紙幣Ｍが挟持される。従って、次々と紙幣Ｍが挟持されて、多数枚の紙幣Ｍが積重ねた押圧状態で保持される。
【００５９】
上下の水平フレーム９１、９２には、前記紙幣受け皿１１６の上下両端から延設された突出片１１７、１１８が貫通される垂直基板１３に垂直な方向のガイド用長穴１１９、１２０が設けられている（図１０）。このガイド用長穴１１９、１２０に沿ってのみ突出片１１７、１１８は移動可能にされているため、スプリング１１５で押圧された紙幣受け皿１１６は垂直基板１３に垂直な方向に移動できる。
【００６０】
保持される紙幣Ｍの枚数が次第に増えてスプリング１１５の圧縮量が増え、紙幣受け皿１１６と垂直基板１３との距離が所定距離まで接近すると、前記下側の突出片１１８からさらに延設された垂直方向の延設片１１８ａが接触して満杯を検知するために、下側の水平フレーム２の下面にマイクロスイッチ１２２が取付けられている。
【００６１】
マイクロスイッチ１２２から満杯検出信号が出力されると、制御基板Ｂは表示器（図示せず）に満杯を表示させ、紙幣Ｕターンのためのモータ５４の駆動を停止さえる。
【００６２】
上下の取込み回転体９５、９５の間には、搬送部３０から送り出される紙幣Ｍの上下方向の中央部を押されて紙幣Ｍの上下両端が確実に上下の取込み回転体９５、９５の紙幣端部保持溝９７、９７に挿入されるようにし、また、取込み回転体９５、９５の回動によって上下両端が紙幣端部保持溝９７、９７から外れた紙幣Ｍを紙幣受け皿１１６へ押しつけるための押さえガイド体１３０が設けられている。
【００６３】
この押さえガイド体１３０はほぼ長方形板状で、搬送部３０側の端部に垂直基板１３から離れる方向に傾斜した傾斜ガイド部１３０ａ（図６）を備えていて、押さえガイド体１３０の奥側の端部の係止部１３１が、図７に示すように前記突起６１の係止アーム６１ｂに取り外し可能に係止され、他端部の係止部１３２が図１１に示すようにギヤカバー１０１に取り外し可能に係止されている。
【００６４】
尚、押さえガイド体１３０に窓１３３を設ければ、紙幣Ｍの引っ掛りなどの故障持に、押さえガイド体１３０を外すことなく、この窓１３３に指を入れて引っ掛った紙幣Ｍを抜き取ったりすることができる。
【００６５】
前記搬送部３０の垂直基板１３と平行な側面及び奥板１５と平行な側面の下部を覆う搬送装置カバー１４０が、上下の不平フレーム３１、３２の垂直な縁板３１ａ、３２ａにネジ止めによって固定されている。
【００６６】
また、垂直基板１３と平行になるように、積重ね保持装置カバー１４１が上下の水平フレーム９１、９２にネジ止めによって固定されている。
【００６７】
図１に示すように、垂直基板１３の下方の水平板１７と底板１４とケース板１８で囲まれた制御基板Ｂの収納部の前面には、縦長のコ字状の前面カバー１５０の上下両端が水平板１７の縁板１７ｂ、底板１４の縁板１４ｂの各ネジ穴においてネジ止め固定される。
【００６８】
前面カバー１５０の上端には、縦長のコ字状の前蓋１５１の下端部が蝶番１５２によって回転自在に取付けられている。前蓋１５１の上端部の前面にはカギ穴１５３が設けられ、このカギ穴１５３にカギを入れて回動させると、前蓋１５１の裏面側のカギ片１５４が回動する。
【００６９】
従って、図１に示すように前蓋１５１を回動して閉じて上板１６の上面に固定された固定金具２０の垂直片２２の切欠き２２ａから裏面側にカギ片１５４をいれた後、カギ穴１５３にカギを入れてカギ片１５４を回動させて、固定金具２０の底板２１及び上板１６に設けたスリット１５５にカギ片１５４に進入させることによって、前蓋１５１が閉じてカギがかけられた状態となる。
【００７０】
そして、カギを開けて、前蓋１５１を開き、指を支持板９４の紙幣取出し口９３に入れて、紙幣受け皿１１６と取込み回転体９５、９５の間に保持された紙幣Ｍを取り出すことができる。尚、指で紙幣Ｍの前端をつまみやすいように紙幣受け皿１１６の前端中央に切欠き１１６ａが設けられている（図４）。
【００７１】
上板１６の前記固定金具２０は、不利用空間部Ａの上枠板２の下面に固定した取付け板１６０（図５）にネジ止めするためのものである。
【００７２】
即ち、図５に示すように、不利用空間部Ａの上枠板２の下面に、取付け板１６０の底板１６１の穴１６１ａにおいて、不利用空間部Ａの上枠板２の垂直板５ｂ寄りの下面に、釘打ちするか、あるいはネジ止めによって取付け板１６０を固定する。
【００７３】
そして、紙幣取扱装置１０を、不利用空間部Ａの左側の垂直板５ｂにユニットケース基板１２の垂直基板１３を接触させた状態で不利用空間部Ａ内へ入れ、固定金具２０の奥側の垂直片２３を取付け板１６０の垂直な前縁１６２に当接させる。そして、垂直片２３のネジ挿入穴２３ａに挿入したネジ１６３を前縁１６２のネジ穴１６２ａに、前側の垂直片２２の切欠き２２ａからドライバーの先端を入れてネジ込むことによって、不利用空間部Ａの上枠板２に紙幣取扱装置１０の上部を固定する。そして、ユニットケース基板１２の底板１４の穴１４ａにおいて、不利用空間部Ａの下枠板３にネジ止めすることによって、紙幣取扱装置１０の下部を固定する。
【００７４】
不利用空間部Ａの上下に前記したように固定した後、前面カバー１５０を取付け、前蓋１５１を閉じてカギをかける。そして、遊技媒体貸出機６を入れて固定する。このようにして、遊技媒体貸出機６と左側の垂直板５ｂとの間の狭い不利用空間部Ａに紙幣取扱装置１０を設置することができる。
【００７５】
また、逆に、遊技媒体貸出機６を取り外し、前蓋１５１及び前面カバー１５０を取り外して固定金具２０と取付け板１６０の前縁のネジを外し、底板１４のネジを外して紙幣取扱装置１０を前面側へ取り出すことができる。
【００７６】
このように本発明の紙幣取扱装置１０では、遊技媒体貸出機６の背面の排出口８から起立状態で排出された紙幣Ｍは搬送部３０によって起立状態のままＵターンさせられて遊技媒体貸出機６における紙幣Ｍの移動方向と平行に且つ逆方向の直線方向に送り出されて上下の取込み回転体９５、９５と紙幣受け皿１１６の間に積重ねた押圧状態で保持されるので、極めて幅狭の不利用空間部Ａ内に多数枚の紙幣Ｍを貯留できる。
【００７７】
そして、搬送部３０の直線上通路部３３ｄの終端部において、図９に示すように従動プーリ６３、６３の位置で搬送ベルト６４、６４に押圧させる送り出しローラ７２、７２の軸７２ａ、７２ａはこの送り出し方向の支持片７３ａ、７３ａの長穴７４、７４内に移動可能に収納されているため、紙幣Ｍの後端を送り出すまでは摩擦力によって送り出しローラ７２、７２は送り出し方向へ長穴７４、７４の前端まで移動する。このため、紙幣Ｍの後端を取込み回転体９５、９５の紙幣端部保持溝９７、９７の後端に達するまで保持して送り出すことになるから、紙幣Ｍの後端が完全に取込み回転体９５、９５の紙幣端部保持溝９７、９７に挿入されるようにする効果がある。
【００７８】
そして、送り出した後、搬送ベルト６４が停止し、次に取込み回転体９５、９５が回動すると、紙幣Ｍが紙幣受け皿１１６側へ押し出されるが、このときに紙幣Ｍの後端部で送り出りローラ７２、７２は押されるので、送り出しローラ７２、７２の軸７２ａ、７２ａは長穴７４、７４に沿って直線状通路部３３ｄ、３３ｄの奥側へと後退する。このため、次に紙幣Ｍが直線状通路部３３ｄ、３３ｄを搬送されてくると、少しでも奥側の位置で紙幣Ｍの前端に接触するから紙幣Ｍをより確実に挟持して搬送させる効果がある。
【００７９】
尚、前記実施形態では、奥側の搬送部３０と、前記の積重ね保持部９０とを、一体的なユニットケース基板１２上に取付けているが、奥側の搬送部３０と、前記の積重ね保持部９０とを２分割されたケース（図示せず）に個別に取付け、奥側の搬送部３０と制御基板Ｂの配線はコネクタで接続分離できるようにし、且つ前記取込み回転体９５、９５及び押さえガイド体１３０の奥部の端部を前面分離ケースに取付けるようにし、搬送部３０を構成した奥側分離ケース（図示せず）は不利用空間Ａの奥側、且つ遊技媒体貸出機６の背面側に取付けるようにすれば、積重ね保持部９０を構成した前側ケースのみを前面側へ取出すことができる。
【００８０】
払出部１７０は、図４に示すように、前記押さえガイド体１３０の窓１３３に臨んで払出ローラ１７１が設けられている。この払出ローラ１７１にはゴムなどの摩擦体から成る摩擦リング１７２が装着されていて、払出モータ１７３によって回転し、積重ね保持部９０内の紙幣を前方へ順次、払い出す。
【００８１】
前記積重ね保持部９０の紙幣取出口９３の近傍には一対の投光器１８０ａ、受光器１８０ｂが設けられている。このため、払い出される両替紙幣によって投光器１８０ａ、受光器１８０ｂ間の光を妨げることによって、受光器１８０ｂからの紙幣検出信号が紙幣Ｍの払出枚数、紙幣詰まり等を検出するものである。
【００８２】
前記遊技媒体貸出機６及び紙幣取扱装置１０の上部幕板部１ａには、紙幣識別装置１９０が配置されている。この紙幣識別装置１９０は、高額（五千円、一万円）紙幣Ｓを投入する紙幣投入口１９１と、この紙幣投入口１９１から投入された高額紙幣Ｓを識別する紙幣識別部１９２と、正しい紙幣であると識別された高額紙幣Ｓを収納する貯留部１９３とを有している。
【００８３】
ここで正しい紙幣であると判断したときは、前記積重ね保持部９０内の紙幣Ｍがその金種に対応した金額分だけ払出部１７０で計数されながら紙幣払出口２００に払い出されるものである。
【００８４】
以上は、遊技媒体貸出機６に投入された紙幣Ｍを両替紙幣として払い出すべく説明したが、図１４に示すように、紙幣取扱装置１０の中間部または下部に、予め両替紙幣として貯留される多数枚の紙幣Ｒを積重ねた押圧状態で保持する前記積重ね保持部９０と略同様な取込み回転体９５、９５、スプリング１１５、紙幣受け皿１１６等から成る紙幣積重ね押圧機構と、払出部１７０とから構成される両替ユニット３００を具備し、前記紙幣Ｒを払い出すようにしても良い。
【００８５】
【発明の効果】
以上説明したように、請求項１の発明によれば、遊技媒体貸出機と一方の遊技機との間の不利用空間部を利用して、遊技媒体貸出機の背面から起立状態で排出される紙幣を前記不利用空間部の前面方向に起立状態のままＵターンさせてこの不利用空間部内で紙幣を積重ねて押圧した状態に保持した紙幣を両替用紙幣として払い出すようにしているので、遊技島全体の紙幣を搬送する大がかりな紙幣搬送装置（システム）を省略することができ、このためコストダウンを図ることができる。また、スロットマシンのような前方へ開くことができないボックス型の遊技機を設置した遊技島であっても、全体の紙幣を搬送する装置を用いないため、遊技機の背面側を点検する必要がない故、何ら支障も生じないと共に、紙幣搬送装置系のトラブルによる遊技媒体貸出機が使用不能となる問題もない。
【００８６】
また、本発明は、前記蓄積された紙幣を両替紙幣として利用することによってより有効活用が図られると共に、高額紙幣を両替えすることができるから、従来のように遊技客がいちいち席を立ち、島端に設置されている両替機まで行かなければならないという問題もなくなる。
【００８７】
請求項２の発明によれば、遊技媒体貸出機６への紙幣投入に関係なく、即使用（両替）することができる。
【図面の簡単な説明】
【図１】本発明の一実施形態を示す斜視図
【図２】図１の実施形態の構造を示す斜視図
【図３】図１の実施形態の構造を示す斜視図
【図４】図１の実施形態の構造を示す斜視図
【図５】図１の実施形態の取付けを示す断面図
【図６】図１の実施形態の水平断面図
【図７】図１の実施形態の通路形成体を示す側面図
【図８】図７におけるＤ−Ｄ断面図
【図９】図１の実施形態の送出しローラの動さ説明図
【図１０】図１の実施形態の積重ね保持装置を示す垂直断面図
【図１１】図１の実施形態の積重ね保持装置の一部の断面図
【図１２】遊技島の構成を示す概略水平断面図
【図１３】遊技島の構成を示す概略正面図
【図１４】本発明の他の実施形態を示す斜視図
【図１５】従来の遊技島の構成を示す概略水平断面図
【図１６】従来の遊技島の構成を示す概略正面図
【符号の説明】
Ａ 不利用空間部
１ 遊技島
１ａ 上部幕板部
４ 遊技機
６ 遊技媒体貸出機
８ 排出口
１０ 紙幣取扱装置
３０ 搬送部
９０ 積重ね保持部
１７０ 払出部
１７３ 払出モータ
１９０ 紙幣識別装置
１９１ 紙幣投入口
１９２ 紙幣識別部
１９３ 貯留部
２００ 紙幣払出口
３００ 両替ユニット
４００ 紙幣両替装置
【図１】
0004653271.tif 000002
【図２】
0004653271.tif 000003
【図３】
0004653271.tif 000004
【図４】
0004653271.tif 000005
【図５】
0004653271.tif 000006
【図６】
0004653271.tif 000007
【図７】
0004653271.tif 000008
【図８】
0004653271.tif 000009
【図９】
0004653271.tif 000010
【図１０】
0004653271.tif 000011
【図１１】
0004653271.tif 000012
【図１２】
0004653271.tif 000013
【図１３】
0004653271.tif 000014
【図１４】
0004653271.tif 000015
【図１５】
0004653271.tif 000016
【図１６】
0004653271.tif 000017